【手続補正書】
【提出日】平成23年9月12日(2011.9.12)
【手続補正１】
【補正対象書類名】特許請求の範囲
【補正対象項目名】全文
【補正方法】変更
【補正の内容】
【特許請求の範囲】
【請求項１】
物品の端部を貼付手段により帯体に貼付するストリップパック装置であって、
前記貼付手段の下流側に配置されて、貼付された一の物品より先に帯体に貼付された他の物品の姿勢を規制する姿勢規制手段が備えられていることを特徴とするストリップパック装置。
【請求項２】
前記請求項１に記載のストリップパック装置において、
前記姿勢規制手段は、前記他の物品を受ける第２受け面を有することを特徴とするストリップパック装置。
【請求項３】
前記請求項２に記載のストリップパック装置において、
前記姿勢規制手段は、前記第２受け面の両側に設けられて前記他の物品の横方向の姿勢を規制する側面部を有することを特徴とするストリップパック装置。
【請求項４】
前記請求項１から３のいずれか１項に記載のストリップパック装置において、
前記姿勢規制手段は、前記他の物品を落し込む落し込み部を有することを特徴とするストリップパック装置。
【請求項５】
前記請求項２または請求項３に記載のストリップパック装置において、
前記姿勢規制手段は、前記他の物品を落し込む落し込み部を有し、
前記落し込み部は、前記第２受け面を用いて構成されていることを特徴とするストリップパック装置。
【請求項６】
前記請求項５に記載のストリップパック装置において、
前記落し込み部は、前記第２受け面とその両側の側面部との間に、前記他の物品を前記受け面の中央部にガイドするガイド面を有することを特徴とするストリップパック装置。
【請求項７】
前記請求項１から請求項６のいずれか１項に記載のストリップパック装置において、
前記姿勢規制手段は、前記貼付手段に連続させて備えられ、前記一の物品を受ける第１受け面を有することを特徴とするストリップパック装置。
【請求項８】
前記請求項７に記載のストリップパック装置において、
前記姿勢規性手段は、前記第１受け面の両側に設けられて前記一の物品の横方向の姿勢を規制する側面部を有することを特徴とするストリップパック装置。
【手続補正２】
【補正対象書類名】明細書
【補正対象項目名】００１０
【補正方法】変更
【補正の内容】
【００１０】
まず、請求項１に記載の発明は、物品の端部を貼付手段により帯体に貼付するストリップパック装置であって、前記貼付手段の下流側に配置されて、貼付された一の物品より先に帯体に貼付された他の物品の姿勢を規制する姿勢規制手段が備えられていることを特徴とする。
また、請求項２に記載の発明は、前記請求項１に記載のストリップパック装置において、前記姿勢規制手段は、前記他の物品を受ける第２受け面を有することを特徴とする。
【手続補正３】
【補正対象書類名】明細書
【補正対象項目名】００１１
【補正方法】変更
【補正の内容】
【００１１】
次に、請求項３に記載の発明は、前記請求項２に記載のストリップパック装置において、前記姿勢規制手段は、前記第２受け面の両側に設けられて前記他の物品の横方向の姿勢を規制する側面部を有することを特徴とする。
【手続補正４】
【補正対象書類名】明細書
【補正対象項目名】００１２
【補正方法】変更
【補正の内容】
【００１２】
また、請求項４に記載の発明は、前記請求項１から３のいずれか１項に記載のストリップパック装置において、前記姿勢規制手段は、前記他の物品を落し込む落し込み部を有することを特徴とする。
【手続補正５】
【補正対象書類名】明細書
【補正対象項目名】００１３
【補正方法】変更
【補正の内容】
【００１３】
また、請求項５に記載の発明は、前記請求項２または請求項３に記載のストリップパック装置において、前記姿勢規制手段は、前記他の物品を落し込む落し込み部を有し、前記落し込み部は、前記第２受け面を用いて構成されていることを特徴とする。
【手続補正６】
【補正対象書類名】明細書
【補正対象項目名】００１４
【補正方法】変更
【補正の内容】
【００１４】
また、請求項６に記載の発明は、前記請求項５に記載のストリップパック装置において、前記落し込み部は、前記第２受け面とその両側の側面部との間に、前記他の物品を前記受け面の中央部にガイドするガイド面を有することを特徴とする。
【手続補正７】
【補正対象書類名】明細書
【補正対象項目名】００１５
【補正方法】変更
【補正の内容】
【００１５】
また、請求項７に記載の発明は、前記請求項１から請求項６のいずれか１項に記載のストリップパック装置において、前記姿勢規制手段は、前記貼付手段に連続させて備えられ、前記一の物品を受ける第１受け面を有することを特徴とする。
【手続補正８】
【補正対象書類名】明細書
【補正対象項目名】００１６
【補正方法】変更
【補正の内容】
【００１６】
そして、請求項８に記載の発明は、前記請求項７に記載のストリップパック装置において、前記姿勢規性手段は、前記第１受け面の両側に設けられて前記一の物品の横方向の姿勢を規制する側面部を有することを特徴とする。
【手続補正９】
【補正対象書類名】明細書
【補正対象項目名】００１７
【補正方法】変更
【補正の内容】
【００１７】
まず、請求項１、２に記載の発明によれば、貼付手段の下流側に、貼付された一の物品より先に帯体に貼付された他の物品の姿勢を規制する姿勢規制手段が備えられているので、上流側では、帯体の姿勢が一定の姿勢とされるようになり、帯体と新たに貼付されようとしている物品との位置関係が一定する。したがって、物品を一定した姿勢で帯体に順次貼付することができる。一方、下流側では、貼付された物品の姿勢を揃えて排出することができる。
【手続補正１０】
【補正対象書類名】明細書
【補正対象項目名】００１８
【補正方法】変更
【補正の内容】
【００１８】
次に、請求項３に記載の発明によれば、前記姿勢規制手段は、前記第２受け面の両側に設けられて前記他の物品の横方向の姿勢を規制する側面部を有するので、特に発生し易い物品の横方向の移動が規制される。その結果、上流側では、帯体の横方向の移動が規制され、下流側では、貼付された物品の横方向の姿勢が揃う。
【手続補正１１】
【補正対象書類名】明細書
【補正対象項目名】００１９
【補正方法】変更
【補正の内容】
【００１９】
また、請求項４に記載の発明によれば、前記姿勢規制手段は、前記他の物品を落し込む落し込み部を有するので、従来問題であった過度の物品の持ち上がりに起因した貼付ミスが効果的に防止される。
【手続補正１２】
【補正対象書類名】明細書
【補正対象項目名】００２０
【補正方法】変更
【補正の内容】
【００２０】
また、請求項５に記載の発明によれば、前記姿勢規制手段は、前記他の物品を落し込む落し込み部を有すると共に、この落とし込み部は前記第２受け面を用いて構成されているので、前記他の物品は、この第２受け面で支持される。したがって、貼付された物品の姿勢は確実に揃うようになる。
【手続補正１３】
【補正対象書類名】明細書
【補正対象項目名】００２１
【補正方法】変更
【補正の内容】
【００２１】
また、請求項６に記載の発明によれば、前記落し込み部は、前記第２受け面と側面部とガイド面とを有するので、前記他の物品は、効果的にセンタリングされる。その場合、特にガイド面を傾斜面あるいは湾曲面として設けることにより、物品の幅寸法に柔軟に対応してセンタリングすることができる。
【手続補正１４】
【補正対象書類名】明細書
【補正対象項目名】００２２
【補正方法】変更
【補正の内容】
【００２２】
また、請求項７に記載の発明によれば、前記姿勢規制手段は、貼付手段に連続させて備えられて、前記一の物品を受ける第１受け面を有するので、この物品の縦方向の姿勢が規制されることに加え、この物品の端部を貼付手段により略上下方向から帯体に貼付する場合に起こり得る物品の垂れ下がり、つまり端部の折れ曲りに起因する割れやピンホール等の損傷を未然に防止することができる。
【手続補正１５】
【補正対象書類名】明細書
【補正対象項目名】００２３
【補正方法】変更
【補正の内容】
【００２３】
そして、請求項８に記載の発明によれば、前記姿勢規性手段は、前記第１受け面の両側に設けられた側面部を有するので、前記一の物品の横方向の移動が規制され、ひいては帯体の横方向の移動が規制され、物品が一定した姿勢で帯体に貼付されるのをさらに助勢する。